(57)【要約】      （修正有）【課題】特に切削工具におけるカッターを挟持するための着脱容易なチャック部材を提供する。【解決手段】切削工具用の着脱容易なチャック部材２０は、チャック部材の一側に設けられる挿設部２１と、チャック部材の他側に設けられ、外周面に円弧状の環状面が形成される係止凸縁２２と、挿設部と係止凸縁との間に設けられる環状凹部２３と、チャック部材の軸方向の中央に全体に亘って形成される貫通穴２４と、それぞれ、チャック部材の外周面に径方向に沿って貫通穴と連通すると共に軸方向に沿ってチャック部材の両端のうちの一端に伸びるように切り込まれる複数の切欠き溝２５とを有する。チャック部材と蓋部材４０とを容易に分解することができる。【選択図】図２
0003206867.tif 000002
【実用新案登録請求の範囲】
【請求項１】
切削工具用の着脱容易なチャック部材であって、
前記チャック部材の一側に設けられる挿設部と、
前記チャック部材の他側に設けられ、外周面に円弧状の環状面が形成される係止凸縁と、
前記挿設部と係止凸縁との間に設けられる環状凹部と、
前記チャック部材の軸方向の中央に全体に亘って形成される貫通穴と、
それぞれ、前記チャック部材の外周面に径方向に沿って前記貫通穴と連通すると共に軸方向に沿って前記チャック部材の両端のうちの一端に伸びるように切り込まれる複数の切欠き溝と、を有することを特徴とする切削工具用の着脱容易なチャック部材。
【考案の詳細な説明】
【技術分野】
【０００１】
本考案は、特に切削工具におけるカッターを挟持するためのチャック部材に関するものである。
【背景技術】
【０００２】
従来のカッターホルダは、図５及び図６に示すように、ホルダ本体６０と、チャック７０と、ドリル８０と、蓋部材９０とを有し、そのうち、ホルダ本体６０の内部中央に、一端から他端へ行くにつれて内径が縮小するテーパー状の装着穴６１が形成され、前記チャック７０の一側に、装着穴６１に嵌め込むことができるように、テーパー状を呈する挿設部７１が設けられると共に、他側に係止凸縁７２が設けられ、前記係止凸縁７２の外端に第一傾斜面７２１が形成され、前記係止凸縁７２の内側に第二傾斜面７２２が環状に形成され、該第二傾斜面７２２と挿設部７１との間に環状凹部７３が形成され、前記ドリル８０の一端は、チャック７０に挿し込まれ、前記蓋部材９０は、その一端に環状の係合部９１が設けられると共に、内周縁に面取り部９１１が形成され、また、前記蓋部材９０は、ホルダ本体６０のチャック７０を装着した一端に螺合され、係合部９１によりチャック７０の環状凹部７３に嵌め込んで係止凸縁７２に係止するため、チャック７０が脱落しないようにホルダ本体６０にしっかりと固定することができる。
【０００３】
従来のカッターホルダは、前記蓋部材９０の係合部９１がチャック７０の係止凸縁７２に係止されることから、切削加工を行った場合に、前記蓋部材９０とチャック７０とを強固に組み立てることができるので、外れることはない。
【考案の概要】
【考案が解決しようとする課題】
【０００４】
しかしながら、従来のカッターホルダは、蓋部材及びチャックを取り外す時、該蓋部材における係合部の面取り部がチャックにおける係止凸縁の第二傾斜面に係止されている状態であることから、蓋部材とチャックとを取り外して分解することが非常に困難であるので、使用上非常に不便であった。
【課題を解決するための手段】
【０００５】
本考案の切削工具用の着脱容易なチャック部材は、
前記チャック部材の一側に設けられる挿設部と、
前記チャック部材の他側に設けられ、外周面に円弧状の環状面が形成される係止凸縁と、
前記挿設部と係止凸縁との間に設けられる環状凹部と、
前記チャック部材の軸方向の中央に全体に亘って形成される貫通穴と、
それぞれ、前記チャック部材の外周面に径方向に沿って前記貫通穴と連通すると共に軸方向に沿って前記チャック部材の両端のうちの一端に伸びるように切り込まれる複数の切欠き溝と、を有する。
【考案の効果】
【０００６】
本考案に係る切削工具用の着脱容易なチャック部材は、上述の構造を有することから、チャック部材と蓋部材とをホルダ本体から取り外して互いに分解する時、該チャック部材における係止凸縁の外周面にある円弧状の環状面によって、該係止凸縁と蓋部材の面取り部との接触した部分は、円環状の接触面積しか有しない。その故、前記円環状の接触面積が従来の構造よりも小面積となって、該係止凸縁と蓋部材の面取り部との摩擦力を低減することから、前記チャック部材と前記蓋部材とを分解しやすくなり、操作上に便利且つ簡単である。
【図面の簡単な説明】
【０００７】
【図１】本考案に係る切削工具用の着脱容易なチャック部材をカッターホルダに装着した状態を示す斜視図である。
【図２】本考案に係る切削工具用の着脱容易なチャック部材をカッターホルダの他の部材とともに組み立てる状態を示す部分拡大分解斜視図である。
【図３】本考案に係る切削工具用の着脱容易なチャック部材をカッターホルダの他の部材とともに組み立てた状態を示す部分拡大側面断面図である。
【図４】本考案に係る切削工具用の着脱容易なチャック部材の斜視図である。
【図５】従来のカッターホルダの分解斜視図である。
【図６】従来のカッターホルダの部分拡大側面断面図である。
【考案を実施するための形態】
【０００８】
図１及び図２に示すように、本考案に係る切削工具用の着脱容易なチャック部材を用いたカッターホルダは、ホルダ本体１０と、チャック部材２０と、刃部材３０と、蓋部材４０とを有し、そのうち、チャック部材２０は、ホルダ本体１０に装着され、前記刃部材３０は、チャック部材２０に挿設され、前記蓋部材４０は、刃部材３０を貫通させて外部に突出させるようにホルダ本体１０に螺合される。
【０００９】
図１及び図２に示すように、前記ホルダ本体１０は、一側の外周面に外ネジ山１１が形成され、前記ホルダ本体１０における、内部に外ネジ山１１がある一端から他端へ行くにつれてテーパー状の嵌設穴１２が形成される。
【００１０】
図２、図３、図４に示すように、前記チャック部材２０は、挿設部２１と、係止凸縁２２と、環状凹部２３と、貫通穴２４と、複数の切欠き溝２５とを有し、そのうち、挿設部２１は、チャック部材２０の一側に設けられ、嵌設穴１２に対応して嵌め込むことができるようにテーパー状を呈し、ホルダ本体１０の嵌設穴１２に挿し込まれ、前記係止凸縁２２は、チャック部材２０の他側に設けられ、その外周面に円弧状の環状面が形成され、前記環状凹部２３は、挿設部２１と係止凸縁２２との間に設けられ、前記環状凹部２３の外周面と垂直するように挿設部２１の先端の端面に形成される側面２３１を備え、前記貫通穴２４は、チャック部材２０の軸方向の中央に全体に亘って形成され、前記複数の切欠き溝２５はそれぞれ、チャック部材２０の外周面に径方向に沿って貫通穴２４と連通するように、前記チャック部材２０の軸方向に沿って前記チャック部材２０の両端のうちの一端に伸びるように切り込まれる。
【００１１】
図１乃至図３に示すように、前記刃部材３０は、一側に螺旋状のドリルである切削部３１が設けられると共に、他側に挟持部３２が設けられ、前記挟持部３２は、チャック部材２０の貫通穴２４に挿し込まれる。尚、その挟持部３２の外径は、チャック部材２０の貫通穴２４の内径に対応する設定となっている。
【００１２】
図２及び図３に示すように、前記蓋部材４０は、ホルダ本体１０に組み合わされ、カバー状を呈し、係止部４１と、周壁部４２と、内ネジ山４３とを備え、該係止部４１は、蓋部材４０の一側に環状に設けられ、前記係止部４１における、ホルダ本体１０と反対する他側に面取り部４１１が環状に形成され、これにより、前記蓋部材４０をホルダ本体１０に組み合わせた時に、前記係止部４１がチャック部材２０の環状凹部２３に嵌め込まれて係止され、また、前記周壁部４２は、係止部４１の周囲から環状に他側へ延設され、前記内ネジ山４３は、周壁部４２の他側近傍の内周面に形成され、前記蓋部材４０の内ネジ山４３が前記ホルダ本体１０の外ネジ山１１に螺合されることによって、前記蓋部材４０をホルダ本体１０に組み合せ、この時、前記蓋部材４０の係止部４１が前記チャック部材２０の環状凹部２３の側面２３１に当接される。
【００１３】
前記チャック部材２０と蓋部材４０とをホルダ本体１０から取り外して分解する場合には、前記チャック部材２０と蓋部材４０とをそれぞれ反対方向へ引っ張って、前記チャック部材２０の係止凸縁２２を前記蓋部材４０の係止部４１の面取り部４１１に接触させると、前記チャック部材２０の係止凸縁２２の外周面にある円弧状の環状面により、該係止凸縁２２と蓋部材４０の面取り部４１１との接触した部分は、円環状の接触面積しか有しない。その故、前記円環状の接触面積が従来の構造よりも小面積となって、該係止凸縁２２と蓋部材４０の面取り部４１１との摩擦力を低減することから、前記チャック部材２０と前記蓋部材４０とを分解しやすくなり、操作上に便利且つ簡単である。
【符号の説明】
【００１４】
１０    ホルダ本体
１１    外ネジ山
１２    嵌設穴
２０    チャック部材
２１    挿設部
２２    係止凸縁
２３    環状凹部
２３１  側面
２４    貫通穴
２５    切欠き溝
３０    刃部材
３１    切削部
３２    挟持部
４０    蓋部材
４１    係止部
４１１  面取り部
４２    周壁部
４３    内ネジ山
６０    ホルダ本体
６１    装着穴
７０    チャック
７１    挿設部
７２    係止凸縁
７２１  第一傾斜面
７２２  第二傾斜面
７３    環状凹部
８０    ドリル
９０    蓋部材
９１    係合部
９１１  面取り部
【図１】
0003206867.tif 000003
【図２】
0003206867.tif 000004
【図３】
0003206867.tif 000005
【図４】
0003206867.tif 000006
【図５】
0003206867.tif 000007
【図６】
0003206867.tif 000008